(57)【要約】      （修正有）【課題】高品質のデバイス及び構造を形成するために使用することができる改良されたシステム及び方法を提供する。【解決手段】処理チャンバ５００は、リッド５０２と処理領域との間に位置付けられた第１のシャワーヘッド５１５を含み、第１のシャワーヘッドと処理領域５６０との間に位置付けられた面板５０９を含む。チャンバはまた、面板と半導体処理チャンバの処理領域との間のチャンバ内に位置付けられた第２のシャワーヘッド５３５を含む。第２のシャワーヘッドは、少なくとも２つの板の間に空間５３７を画定するように連結された少なくとも２つの板を含む。少なくとも２つの板は、第２のシャワーヘッドを通るチャネル５４０、５４５を少なくとも部分的に画定する。【選択図】図５
2018082150.tif 000002
【特許請求の範囲】
【請求項１】
半導体処理チャンバの内部領域を少なくとも部分的に画定し、リッドを備えるチャンバハウジングと、
前記半導体処理チャンバの処理領域内で基板を支持するように構成されたペデスタルと、
少なくとも２つの板の間に空間を画定するために、連結された前記少なくとも２つの板を備える前記半導体処理チャンバ内に位置付けられた第１のシャワーヘッドであって、前記少なくとも２つの板が、前記第１のシャワーヘッドを通るチャネルを少なくとも部分的に画定し、各チャネルが、前記チャネルの第１の端で第１の直径によって特徴付けられ、かつ前記チャネルの第２の端で複数のポートによって特徴付けられている、第１のシャワーヘッドと
を備える半導体処理チャンバ。
【請求項２】
各ポートが、前記第１の直径未満の直径によって特徴付けられる、請求項１に記載の半導体処理チャンバ。
【請求項３】
電源に連結され、前記リッドと前記処理領域との間の前記半導体処理チャンバ内に位置付けられている第２のシャワーヘッドを更に備える、請求項１に記載の半導体処理チャンバ。
【請求項４】
電気的接地に連結され、前記第１のシャワーヘッドと前記処理領域との間の前記半導体処理チャンバ内に位置付けられている面板を更に備える、請求項３に記載の半導体処理チャンバ。
【請求項５】
前記面板及び前記第２のシャワーヘッドが、直接接触しており、かつ電気的接地に連結されている、請求項４に記載の半導体処理チャンバ。
【請求項６】
前記半導体処理チャンバが、前記第１のシャワーヘッドと前記面板との間にスペーサを更に備え、前記第１のシャワーヘッド、前記面板、及び前記スペーサが、前記半導体処理チャンバ内のプラズマ処理領域を少なくとも部分的に画定するように構成されている、請求項４に記載の半導体処理チャンバ。
【請求項７】
前記ペデスタルが電源に連結されており、前記第２のシャワーヘッドが電気的接地に連結されている、請求項３に記載の半導体処理チャンバ。
【請求項８】
前記第１のシャワーヘッドが、面板に面する各チャネルの前記第１の端を有し、かつ前記半導体処理チャンバの処理領域に近接した各チャネルの前記第２の端を有する前記チャンバ内に位置付けられている、請求項１に記載の半導体処理チャンバ。
【請求項９】
前記第１のシャワーヘッドの表面が、前記半導体処理チャンバの前記処理領域に隣接しており、前記表面がコーティングされている、請求項１に記載の半導体処理チャンバ。
【請求項１０】
前記第１の直径が少なくとも約２．５ｍｍであり、各ポートの直径が約１．２ｍｍ以下である、請求項１に記載の半導体処理チャンバ。
【請求項１１】
複数の通り孔を画定する第１の板と、
前記第１の板に連結されており、第１の複数の開孔及び第２の複数の開孔を画定する第２の板であって、前記第２の複数の開孔が、前記第２の複数の開孔の少なくとも２つの開孔を含む複数の群の開孔の前記第２の板に画定され、前記第１の板の各通り孔が、チャネルを形成するために少なくとも１つの群の開孔と位置合わせされている、第２の板と
を備えるシャワーヘッド
を備えるプラズマ処理チャンバ。
【請求項１２】
前記第１の板及び前記第２の板が、前記第１の板と前記第２の板との間に空間を画定するように互いに連結されており、前記空間が、前記第２の板の前記第１の複数の開孔から流体的にアクセス可能であり、前記チャネルが、前記第１の板と前記第２の板との間に画定された前記空間から流体的に分離している、請求項１１に記載のプラズマ処理チャンバ。
【請求項１３】
前記第１の複数の開孔が、前記第１の複数の開孔のうちの少なくとも２つの開孔を含む複数の第１群の開孔の前記第２の板に画定され、各第１群の開孔が前記第２の複数の開孔のうちの１つの群の開孔を取り囲む、請求項１２に記載のプラズマ処理チャンバ。
【請求項１４】
各通り孔が、少なくとも約５ｍｍの直径によって特徴付けられる、請求項１１に記載のプラズマ処理チャンバ。
【請求項１５】
前記第２の複数の開孔のうちの各開孔が、約１ｍｍ以下の直径によって特徴付けられる、請求項１１に記載のプラズマ処理チャンバ。
【発明の詳細な説明】
【技術分野】
【０００１】
関連出願の相互参照
［０００１］本出願は、２０１６年１０月４日に出願された、「ＤＵＡＬ−ＣＨＡＮＮＥＬ  ＳＨＯＷＥＲＨＥＡＤ  ＷＩＴＨ  ＩＭＰＲＯＶＥＤ  ＰＲＯＦＩＬＥ」なる名称の、米国特許出願第１５／２８５，３３１号の利益を主張し、これによって、あらゆる目的において参照によりその全体が本明細書に組み込まれる。
【０００２】
［０００２］本発明の技術は、半導体システム、プロセス及び機器に関する。より具体的には、本発明の技術は、プラズマ電極として使用されるシャワーヘッドを含む処理チャンバに関する。
【背景技術】
【０００３】
［０００３］集積回路は、基板表面上に複雑にパターン形成された材料層を形成するプロセスによって可能になる。基板上にパターン形成された材料を形成するには、露出した材料を取り除くための制御された方法が必要である。化学エッチングは、下位層にフォトレジストでパターンを転写する、層を薄くする、又は表面にすでにある特徴の横寸法を薄くすることを含む、様々な目的に使用される。多くの場合、１つの材料を別の材料よりも早くエッチングして、例えばパターン転写プロセスを促進するエッチングプロセスを有することが望ましい。上記エッチングプロセスは、第１の材料に対して選択的であると言われる。材料、回路、及びプロセスに多様性があるために、様々な材料に対して選択性を有するエッチングプロセスが開発されてきた。
【０００４】
［０００４］エッチングプロセス、堆積プロセス、及び洗浄プロセスは、様々なチャンバで実行され得る。これらのチャンバは、容量結合プラズマを形成するために使用される構成要素を含み、又は、例えば、誘導結合されたプラズマなど、他の形態のプラズマが形成される内側チャンバ領域に近接し得る。チャンバ構成要素は、チャンバを通してプラズマ発生又は前駆体供給の効果を低減するための何らかの方法で構成されるが、これは、追加の機能性を犠牲にする可能性がある。
【０００５】
［０００５］したがって、高品質のデバイス及び構造を形成するために使用することができる改良されたシステム及び方法が必要とされる。これらの必要性及び他の必要性が、本発明の技術によって対処される。
【発明の概要】
【０００６】
［０００６］本発明の技術による半導体処理システム及び方法は、半導体処理チャンバの内部領域を少なくとも部分的に画定する、リッドを含むチャンバハウジングを含む半導体処理チャンバを含み得る。チャンバは、チャンバの処理領域内で基板を支持するように構成されたペデスタルを含み得る。チャンバは、リッドと処理領域との間に位置付けられた第１のシャワーヘッドを含み、第１のシャワーヘッドと半導体処理チャンバの処理領域との間に位置付けられた面板を含み得る。チャンバはまた、面板と半導体処理チャンバの処理領域との間のチャンバ内に位置付けられた第２のシャワーヘッドを含み得る。第２のシャワーヘッドは、少なくとも２つの板の間に空間を画定するように連結された少なくとも２つの板を含み得る。少なくとも２つの板は、第２のシャワーヘッドを通るチャネルを少なくとも部分的に画定し、各チャネルは、チャネルの第１の端で第１の直径によって特徴付けられ、チャネルの第２の端で複数のポートによって特徴付けられ得る。
【０００７】
［０００７］実施形態では、各ポートは、第１の直径未満の直径によって特徴付けられ得る。加えて、第１のシャワーヘッドは、電源に連結され、面板は、電気的接地に連結され得る。例示的半導体処理チャンバはまた、第１のシャワーヘッドと面板との間にスペーサを含み得る。第１のシャワーヘッド、面板、及びスペーサは、半導体処理チャンバ内にプラズマ処理領域を少なくとも部分的に画定するように構成され得る。幾つかの実施形態では、ペデスタルは、電源に連結され、第２のシャワーヘッドは、電気的接地に連結され得る。ペデスタル及び第２のシャワーヘッドは、半導体処理チャンバの処理領域内にプラズマ処理領域を少なくとも部分的に画定するように構成され得る。実施形態において、面板及び第２のシャワーヘッドは、直接接触しており、かつその双方が電気的接地に連結され得る。
【０００８】
［０００８］第２のシャワーヘッドが、面板に面する各チャネルの第１の端を有し、かつ半導体処理チャンバの処理領域に近接した各チャネルの第２の端を有するチャンバ内に位置付けられ得る。加えて、第２のシャワーヘッドは、半導体処理チャンバの処理領域に近接した各チャネルの第１の端を有し、かつ面板に面する各チャネルの第２の端を有するチャンバ内に位置付けられ得る。第２のシャワーヘッドの表面は、半導体処理チャンバの処理領域に隣接し、表面は、コーティング又は処理され得る。幾つかの実施形態では、第１の直径は、少なくとも約２．５ｍｍであり、各ポートの直径は、約１．２ｍｍ以下であり得る。
【０００９】
［０００９］本発明の技術はまた、シャワーヘッドを包囲する。シャワーヘッドは、複数の通り孔を画定する第１の板を含み得る。シャワーヘッドはまた、第１の板に連結された第２の板を含み得る。第２の板は、第１の複数の開孔及び第２の複数の開孔を画定し、第２の複数の開孔は、第２の複数の開孔のうちの少なくとも２つの開孔を含む複数の群の開孔の第２の板に画定され得る。幾つかの実施形態では、第１の板の各通り孔は、チャネルを形成するために少なくとも１つの群の開孔と位置合わせされ得る。
【００１０】
［００１０］実施形態では、第１の板及び第２の板は、第１の板と第２の板との間に空間を画定するために互いに連結され得る。空間は、第２の板の第１の複数の開孔から流体的にアクセス可能であり、チャネルは、第１の板と第２の板との間に画定された空間から流体的に分離され得る。第１の複数の開孔は、第１の複数の開孔のうちの少なくとも２つの開孔を含む複数の第１群の開孔の第２の板に画定され、各第１群の開孔は、第２の複数の開孔のうちの１つの群の開孔を取り囲み得る。幾つかの実施形態では、各第１群の開孔は、少なくとも４つの開孔を含み得る。幾つかの実施形態では、各通り孔は、少なくとも約５ｍｍの直径によって特徴付けられ得る。第２の複数の開孔のうちの各開孔は、約１ｍｍ以下の直径によって特徴付けられ得る。第２の複数の開孔のうちの各群の開孔は、少なくとも約６つの開孔を含み得る。幾つかの実施形態では、第２の板は、プラズマ劣化に耐性のある材料を含み得る。
【００１１】
［００１１］本発明の技術はまた、第１の複数の開孔を画定する第１の板を含み得る、シャワーヘッドを包囲し得る。第１の複数の開孔は、第１の複数の開孔のうちの少なくとも２つの開孔を含む複数の群の開孔の第１の板に画定され得る。シャワーヘッドはまた、第１の板に連結された第２の板を含み得る。第２の板は、第２の複数の開孔及び複数の通り孔を画定し、第２の板の各通り孔は、チャネルを形成するために第１の複数の開孔のうちの少なくとも１つの群の開孔と位置合わせされ得る。
【００１２】
［００１２］そのような技術は、従来のシステム及び技術よりも多数の利点を提供し得る。例えば、本技術のシャワーヘッドは、プラズマ漏出を制限し得る改良された接地経路を提供し得る。加えて、シャワーヘッドは、反応副生成物が逆流し、他のチャンバ構成要素と接触するのを制限し得る。これら多数の利点及び特徴と共に、これらの実施形態及びその他の実施形態を、下記の説明及び添付の図面と合わせてさらに詳細に説明する。
【００１３】
［００１３］本開示の技術の性質及び利点は、本明細書の残りの部分と図面を参照することによって更に理解され得る。
【図面の簡単な説明】
【００１４】
【図１】［００１４］本発明の技術の実施形態による例示的処理システムの上面図を示す。
【図２】［００１５］本発明の技術の実施形態による例示的処理チャンバの概略断面図を示す。
【図３】［００１６］本発明の技術の実施形態による例示的シャワーヘッドの底面図を示す。
【図４】［００１７］本発明の技術の実施形態による例示的面板の平面図を示す。
【図５】［００１８］本発明の技術の実施形態による処理チャンバの断面図を示す。
【図６Ａ】［００１９］本発明の技術の実施形態による例示的シャワーヘッドの上面図を示す。
【図６Ｂ】［００２０］本発明の技術の実施形態による例示的シャワーヘッドの底面図を示す。
【図７Ａ】［００２１］本発明の技術の実施形態による例示的シャワーヘッドの断面図を示す。
【図７Ｂ】［００２２］本発明の技術の実施形態による例示的シャワーヘッドの断面図を示す。
【図８Ａ】［００２３］本発明の技術の実施形態による例示的シャワーヘッドの上面図を示す。
【図８Ｂ】［００２４］本発明の技術の実施形態による例示的シャワーヘッドの底面図を示す。
【図９】［００２５］本発明の技術の実施形態による例示的方法の工程を示す。
【発明を実施するための形態】
【００１５】
［００２６］図の幾つかは、概略図として含まれている。図面は例示のためのものであり、縮尺について特に規定されていない限り、正しい縮尺と見なすべきではないことに留意されたい。加えて、概略図として、図面は、理解を促すために提供されており、実際の描写表現と比べると態様又は情報をすべて含んでいるわけではなく、例示手目的で追加の材料又は強調された材料を含むこともある。
【００１６】
［００２７］添付図面では、類似の構成要素及び／又は特徴は、同一の参照符号を有し得る。更に、同類の様々な構成要素は、類似の構成要素を区別する文字により、参照符号に従って区別されることがある。第１の参照符号のみが本明細書において使用されている場合、その説明は、文字に関わりなく、同じ第１の参照符号を有する類似の構成要素のうちの任意の１つに適用可能である。
【００１７】
［００２８］本発明の技術は、調整したエッチング処理を含む半導体処理のためのシステム及び構成要素を含む。利用可能なある処理チャンバは、複数のプラズマ機構、例えばウエハレベルにおける機構や遠隔プラズマ源などを含み得る。ウエハレベルでのプラズマは、２つの電極間に形成された容量結合プラズマを介して形成され得ることが多い。これらの電極の一方又は両方は、シャワーヘッド、ペデスタル、又はチャンバ壁などの追加のチャンバ構成要素であってもよく、又はこれらを含んでもよい。シャワーヘッドは、前駆体分配に影響を及ぼすための任意の数の方法で構成され、またプラズマ発生の際に電極として使用されてもよい。しかしながら、処理チャンバでフロープロファイルを改善するためのシャワーヘッド構成は、電極としてのシャワーヘッドの性能に影響を与えることがある。
【００１８】
［００２９］例えば、シャワーヘッドを通る開口の直径が増大すると、シャワーヘッドを通るフローの均一性だけではなくラジカルの再結合の改善も可能になり得る。他方で、シャワーヘッドが電極として動作している場合、開口直径の増大により、シャワーヘッドを通してプラズマが漏出する可能性があり、次いで他の構成要素と相互に作用することがある。ウエハレベルプラズマについて、より大きな開孔直径によって、エッチング又は堆積反応からの反応副生成物が、開孔を通って逆流し、他のチャンバ構成要素と接触、堆積、又は反応することも可能になろう。
【００１９】
［００３０］従来の技術は、多数の方法でこれらの現象を取り扱ってきた可能性がある。１つの例では、シャワーヘッドを介した材料の任意の逆流を防止又は低減するために、追加の板又はシャワーヘッドが処理領域に含まれていた。しかしながら、そのような構成要素は、前駆体のためのチャンバフロー経路を増加させ得る。チャンバを通って移動するラジカル前駆体にとって、このことは、エネルギーの再結合又は損失の発生を可能にし、前駆体又はプラズマ廃水の有効性を低減する可能性がある。本発明の技術は、ウエハレベルのプラズマ発生との使用を目的とすることを含む、半導体処理チャンバで利用され得る改良されたシャワーヘッドを提供することによって、これらの欠陥を克服し得る。シャワーヘッドは、十分な前駆体フローを可能にするために一端に増大した直径を有するチャネルを含み、プラズマ及び反応副生成物がシャワーヘッドを介して逆流するのを防止するために、反対の端にポートを含み得る。これらの設計は、他のチャンバ構成要素を保護する一方で、またラジカル再結合速度への効果を制限し得る。
【００２０】
［００３１］残りの開示内容は、本発明の技術を利用した特定のエッチング処理を規定通りに識別するものであるが、システム及び方法は、記載されたチャンバで起こりうる堆積及び洗浄プロセスに等しく適用可能であることは、容易に理解できることである。したがって、この技術は、エッチング処理のみでの使用に限定されるものと考えるべきではない。
【００２１】
［００３２］図１は、実施形態による、堆積チャンバ、エッチングチャンバ、ベーキングチャンバ、及び硬化チャンバの処理システム１００の１つの実施形態の上面図を示す。図１に示される処理ツール１００は、複数の処理チャンバ１１４Ａ−Ｄ、移送チャンバ１１０、サービスチャンバ１１６、一体型計測チャンバ１１７、及び一対のロードロックチャンバ１０６Ａ−Ｂを含有し得る。処理チャンバは、追加の処理チャンバに加え、図２に関して記載されるものに類似の構造又は構成要素を含み得る。
【００２２】
［００３３］チャンバの間で基板を輸送するために、移送チャンバ１１０は、ロボット輸送機構１１３を含有し得る。輸送機構１１３は、延長可能なアーム１１３Ｂの遠位端にそれぞれ取り付けられた一対の基板輸送ブレード１１３Ａを有し得る。ブレード１１３Ａは、個々の基板を処理チャンバに及び処理チャンバから運ぶために使用され得る。動作中に、輸送機構１１３のブレード１１３Ａなどの基板輸送ブレードの１つが、チャンバ１０６Ａ−Ｂなどのロードロックチャンバの１つから基板Ｗを回収し、例えば、チャンバ１１４Ａ−Ｄにおける以下に記載されるエッチング処理などの第１段階の処理に基板Ｗを運び得る。チャンバが使用中の場合、ロボットは、処理が完了するまで待機し、次いで処理した基板を１つのブレード１１３Ａによりチャンバから除去し、第２のブレード（図示されず）で新しい基板を挿入し得る。基板はいったん処理されると、次に第２段階の処理に移動し得る。移動毎に、輸送機構１１３は、一般的に、基板を運ぶ１つのブレードと、基板交換を実行するための１つの空のブレードとを有し得る。移送機構１１３は、交換が遂行可能となるまで各チャンバで待機し得る。
【００２３】
［００３４］処理チャンバ内で処理がいったん完了すると、輸送機構１１３は、基板Ｗを最後の処理チャンバから移動させ、基板Ｗをロードロックチャンバ１０６Ａ−Ｂ内のカセットに輸送し得る。ロードロックチャンバ１０６Ａ−Ｂから、基板はファクトリインターフェース１０４内に移動し得る。ファクトリインターフェース１０４は、一般的に、大気圧清浄環境のポッドローダ１０５Ａ−Ｄとロードロックチャンバ１０６Ａ−Ｂとの間で基板を移送するために動作し得る。ファクトリインターフェース１０４の清浄環境は、一般的に、例えばＨＥＰＡろ過などの空気ろ過処理を介して提供され得る。ファクトリインターフェース１０４はまた、処理前に基板を正しく位置合わせするために使用され得る基板オリエンタ／アライナ（図示されず）を含み得る。ロボット１０８Ａ−Ｂなどの少なくとも１つの基板ロボットは、ファクトリインターフェース１０４内の種々の位置／場所の間とそれらに連通する他の場所に基板を輸送するために、ファクトリインターフェース１０４の中に位置付けら得る。ロボット１０８Ａ−Ｂは、ファクトリインターフェース１０４の第１の端から第２の端まで筐体１０４内を軌道システムに沿って移動するように構成され得る。
【００２４】
［００３５］処理システム１００は、処理チャンバで実行されている処理の何れかにわたって適応性のある制御を提供し得る、制御信号を提供するために、一体型計測チャンバ１１７を更に含み得る。一体型計測チャンバ１１７は、厚さ、粗さ、組成など、種々の膜特性を測定するために種々の計測デバイスの何れかを含み得、計測デバイスは、更に、自動化された方法で、真空下での限界寸法、側壁角度、及び特徴高さ等の格子パラメータを特徴付けることができる。
【００２５】
［００３６］ここで図２を参照すると、本発明の技術による例示的処理チャンバシステム２００の断面図が示される。チャンバ２００は、例えば、先ほど検討されたシステム１００の処理チャンバセクション１１４のうちの一又は複数で使用され得る。一般的に、エッチングチャンバ２００は、イオンミリング動作を実施するための第１の容量結合プラズマ源と、エッチング動作及びオプションの堆積動作を実施するための第２の容量結合プラズマ源とを含み得る。チャンバ２００は、チャック２５０を取り囲む接地チャンバ壁２４０を含み得る。実施形態において、既知であろう他のクランプ機構が用いられてもよいが、チャック２５０は、処理中にチャック２５０の上面に基板２０２を締める静電チャックであり得る。チャック２５０は、埋め込まれた熱交換コイル２１７を含み得る。例示的実施形態では、熱交換コイル２１７は、チャック２５０の温度、及び最終的には基板２０２の温度を制御するために、エチレングリコール／水混合物などの熱移送流体がそれを介して通過し得るような一又は複数の熱移送流体チャネルを含む。
【００２６】
［００３７］チャック２５０は、メッシュ２４９が基板２０２の静電気的クランプを実施するためにＤＣバイアス電位を運び得るように、高圧ＤＣ供給２４８に結合されたメッシュ２４９を含み得る。チャック２５０は、第１のＲＦ電源に結合され得、そのような１つの実施形態では、メッシュ２４９は、ＤＣ電圧オフセット及びＲＦ電圧電位の双方が、チャック２５０の上面の薄い誘電体層全域で結合されるように、第１のＲＦ電源に結合され得る。例示的実施形態では、第１のＲＦ電源は、第１及び第２のＲＦ発生器２５２、２５３を含み得る。ＲＦ発生器２５２、２５３は、任意の産業上利用される周波数で動作し得るが、例示的実施形態では、ＲＦ発生器２５２は、有利な方向性を提供するために６０ＭＨｚで動作し得る。第２のＲＦ発生器２５３も提供される場合、例示的周波数は、２ＭＨｚであり得る。
【００２７】
［００３８］ＲＦ電力供給されるチャック２５０により、ＲＦリターン経路が、デュアルチャネルシャワーヘッドを含み得る第１のシャワーヘッド２２５によって提供され得る。第１のシャワーヘッド２２５は、第１のシャワーヘッド２２５及びチャンバ壁２４０によって画定された第１のチャンバ領域２８４内に第１の供給ガスを分散させるためにチャックの上に配置され得る。したがって、チャック２５０及び第１のシャワーヘッド２２５は、第１のチャンバ領域２８４内の第１の供給ガスの第１のプラズマ２７０に容量性のエネルギーを与えるために第１のＲＦ結合電極ペアを形成する。ＲＦ電力供給されたチャックの容量性の結合から生じる、ＤＣプラズマバイアス、又はＲＦバイアスは、イオンミリングプラズマを供給するために、例えば、第１の供給ガスがＡｒであるＡｒイオンなどのイオンフラックスを第１のプラズマ２７０から基板２０２に生成し得る。第１のシャワーヘッド２２５は、接地されてもよく、又は交互に、例えば１３．５６ＭＨｚ又は６０ＭＨｚなどの、チャック２５０以外の周波数で動作可能な一又は複数の発生器を有するＲＦ源２２８に結合されてもよい。図示された実施形態では、第１のシャワーヘッド２２５は、例えばコントローラ（図示されず）によって、エッチング処理中に自動的に制御され得るリレー２２７を通して、接地又はＲＦ源２２８に選択可能に結合され得る。開示された実施形態では、チャンバ２００は、シャワーヘッド２２５又は誘電体スペーサ２２０を含まなくてもよく、その代わりに、更に以下に記載されるバッフル２１５及びシャワーヘッド２１０のみを含んでいてもよい。
【００２８】
［００３９］図に更に示されるように、エッチングチャンバ２００は、低い処理圧力で高いスループットが可能なポンプスタックを含み得る。実施形態において、少なくとも１つのターボ分子ポンプ２６５、２６６は、一又は複数のゲートバルブ２６０を通して第１のチャンバ領域２８４に結合され、第１のシャワーヘッド２２５に対向するチャック２５０の下に配置され得る。ターボ分子ポンプ２６５、２６６は、適切なスループットを有している任意の市販のポンプであり、より具体的には、例えば、アルゴンが第１の供給ガスである場合、５０ｓｃｃｍから５００ｓｃｃｍまでのＡｒなど、第１の供給ガスの所望の流量で約１０ｍＴｏｒｒ以下又は約５ｍＴｏｒｒ以下に処理ガスを維持するために適切にサイズ決定され得る。図示された実施形態では、チャック２５０は、２つのターボポンプ２６５と２６６との間で中心に置かれるペデスタルの一部を形成し得るが、代替構成では、チャック２５０は、チャック２５０の中心に位置合わせされた中心を有する単一のターボ分子ポンプを含むチャンバ壁２４０から一端が飛び出したペデスタルの上にあってもよい。
【００２９】
［００４０］第２のシャワーヘッド１２０は、第１のシャワーヘッド２２５の上に配置され得る。１つの実施形態では、処理中に、例えば、ガス供給システム２９０から供給されたアルゴンなどの第１の供給ガス源は、ガス注入口２７６に結合され得、第１の供給ガスは、第２のシャワーヘッド２１０を通って延びる複数の開孔２８０を介して第２のチャンバ領域２８１内へ、及び第１のシャワーヘッド２２５を通って延びる複数の開孔２８２を介して第１のチャンバ領域２８４内へ流れる。開孔２７８を有する追加の流れ分散器又はバッフル２１５は、分散領域２１８を通ってエッチングチャンバ２００の直径全域に第１の供給ガス流２１６を更に分散させ得る。代替的実施形態では、第１の供給ガスは、点線２２３によって示されるように、第２のチャンバ領域２８１から分離した開孔２８３を介して、第１のチャンバ領域２８４内に直接流れ得る。
【００３０】
［００４１］チャンバ２００は、加えて、エッチング動作を実行するために図示された状態から再構成されてもよい。二次的電極２０５が第１のシャワーヘッド２２５の上方に配置され得、第２のチャンバ領域２８１がそれらの間に存在する。二次的電極２０５は、エッチングチャンバ２００のリッド又は上面板を更に形成し得る。二次的電極２０５及び第１のシャワーヘッド２２５は、第２のチャンバ領域２８１内で第２の供給ガスの第２のプラズマ２９２を容量的に放電するために、誘電体リング２２０によって電気的に絶縁され、第２のＲＦ結合電極ペアを形成し得る。有利には、第２のプラズマ２９２は、チャック２５０の上にかなりのＲＦバイアス電位を供給しなくてもよい。第２のＲＦ結合電極ペアの少なくとも１つの電極は、エッチングプラズマにエネルギーを与えるためにＲＦ源に結合され得る。二次的電極２０５は、第２のシャワーヘッド２１０に電気的に結合され得る。例示的実施形態では、第１のシャワーヘッド２２５は、接地平面に結合されても浮遊していてもよく、リレー２２７を通して接地に結合されてもよく、第１のシャワーヘッド２２５は、動作のイオンミリングモード中にＲＦ電源２２８によって電力供給も可能になる。第１のシャワーヘッド２２５が接地される場合、例えば  １３．５６ＭＨｚ又は６０ＭＨｚで作動する一又は複数のＲＦ発生器を有するＲＦ電源２０８は、二次的電極２０５をイオンミリング動作中などの他の動作モード中に接地も可能にするリレー２０７を通して、二次的電極２０５に結合されるが、二次的電極２０５はまた、第１のシャワーヘッド２２５に電力供給される場合には浮遊したままでもよい。
【００３１】
［００４２］三フッ化窒素などの第２の供給ガス源、及びアンモニアなどの水素源は、ガス供給システム２９０から供給され、点線２２４などを介してガス吸入口２７６に結合され得る。このモードでは、第２の供給ガスは、第２のシャワーヘッド２１０を通って流れ、第２のチャンバ領域２８１においてエネルギーが与えられ得る。反応性核種は、次いで、基板２０２と反応するために、第１のチャンバ領域２８４内に移り得る。更に図示されるように、第１のシャワーヘッド２２５がマルチチャネルシャワーヘッドである実施形態について、一又は複数の供給ガスは、第２のプラズマ２９２によって生成される反応性核種と反応するように提供され得る。１つの実施形態では、水源が複数の開孔２８３に結合されてもよい。追加の構成はまた、提供された一般図に基づいてもよいが、種々の構成要素が再構成されてもよい。例えば、流れ分散器又はバッフル２１５は、第２のシャワーヘッド２１０に類似した板であってもよく、二次的電極２０５と第２のシャワーヘッド２１０との間に位置付けられてもよい。
【００３２】
［００４３］これらの板の何れかはプラズマ生成のための様々な構成において電極として動作し得るので、一又は複数の環状又は他の形状のスペーサが、誘電体リング２２０と同様に、これらの構成要素のうちの一又は複数の間に位置付けられてもよい。第２のシャワーヘッド２１０はまた、実施形態においてイオン抑制板として動作し得、第２のシャワーヘッド２１０を通したイオン核種の流れを低減、限定、又は抑制するように構成され得る一方で、中性核種及びラジカル核種の流れをなおも可能にする。一又は複数の追加のシャワーヘッド又は分散器は、第１のシャワーヘッド２２５とチャック２５０との間のチャンバ内に含まれ得る。そのようなシャワーヘッドは、先ほど記載された分配板又は構造体の何れかの形状又は構造をとり得る。また、実施形態では、遠隔プラズマユニット（図示されず）は、種々の処理で使用するためにプラズマ放出物をチャンバに提供するようにガス注入口に結合され得る。
【００３３】
［００４４］実施形態では、チャック２５０は、距離Ｈ２に沿って、第１のシャワーヘッド２２５に対して垂直な方向に移動可能であり得る。チャック２５０は、チャック２５０と第１のシャワーヘッド２２５との間での熱移送を制御する手段として、第１のシャワーヘッド２２５に近付く又は遠ざかるように移動できるようにするために、ベローズ２５５、又はそのようなものによって囲まれた作動機構上にあり、８０℃から１５０℃又はそれ以上の上昇温度となり得る。よって、エッチング処理は、第１のシャワーヘッド２２５に対する第１及び第２の所定の位置の間でチャック２５０を移動させることによって、実施され得る。代替的には、チャック２５０は、エッチング処理中に第１のシャワーヘッド２２５によって加熱を制御するために、基板２０２をチャック２５０の上面から距離Ｈ１ほど上昇させるためのリフターを含み得る。エッチング処理が、例えば約９０℃から１１０℃の固定温度で実行される、他の実施形態では、チャック変位機構が回避され得る。システムコントローラ（図示されず）は、自動的に第１及び第２のＲＦ結合電極ペアに交互に電力供給することによって、エッチング処理中に第１及び第２のプラズマ２７０及び２９２に交互にエネルギーを与え得る。
【００３４】
［００４５］チャンバ２００はまた、堆積動作を実行するために再構成されてもよい。プラズマ２９２は、第２のプラズマ２９２について記載された方法の何れかで実施され得るＲＦ放電によって、第２のチャンバ領域２８１で生成され得る。第１のシャワーヘッド２２５が堆積中にプラズマ２９２を生成するために電力供給される場合、第１のシャワーヘッド２２５は、チャンバ壁に対して電気的に浮遊しているように、誘電体スペーサ２３０によって接地されたチャンバ壁２４０から分離され得る。例示的実施形態では、分子酸素などの酸化剤供給ガス源が、ガス供給システム２９０から供給され、ガス注入口２７６に結合され得る。第１のシャワーヘッド２２５がマルチチャネルシャワーヘッドである実施形態では、例えばＯＭＣＴＳなどの任意のケイ素含有前駆体が、ガス供給システム２９０から供給され、プラズマ２９２から第１のシャワーヘッド２２５を通って移動する反応性核種と反応するように、第１のチャンバ領域２８４内に方向付けられ得る。代替的には、ケイ素含有前駆体はまた、酸化剤と共にガス注入口２７６を通って流れ得る。チャンバ２００は、本発明の技術に関して検討される種々の動作に用いられ得る一般的チャンバ構成として含まれる。
【００３５】
［００４６］図３は、実施形態による処理チャンバで使用するためのシャワーヘッド３２５の底面図である。シャワーヘッド３２５は、図２に示されるシャワーヘッド２２５に対応し得る。第１の流体チャネル又は開孔２８２の図であり得る通り孔３６５は、シャワーヘッド２２５を通る前駆体の流れを制御し影響を与えるように、複数の形状及び構成を有し得る。第２の流体チャネル又は開孔２８３の図であり得る小さな孔３７５は、シャワーヘッドの表面に、更には通り孔３６５の間でさえ、実質的に平らに分散され得、他の構成ではなくシャワーヘッドから出る際に前駆体のより均一な混合を提供し得る。
【００３６】
［００４７］実施形態による面板用の配置が、図４に示されている。図示されたように、面板４００は、貫通孔を含む板又はマニホールドを含み得る。面板のアセンブリは、図３に示されるようなシャワーヘッドに類似してもよく、又は特に前駆体ガスの分配パターン用に構成された設計を含んでいてもよい。面板４００は、図２に示されるチャンバなどの例示的処理チャンバ内に種々の配置で位置付けられた環状フレーム４１０を含み得る。実施形態において、以下に記載されるようなイオン抑制板５２３に類似し得る板４２０がフレーム上又は内に結合され得る。実施形態では、面板４００は、フレーム４１０と板４２０とが単一部品の材料である単一部品設計であり得る。
【００３７】
［００４８］板は、ディスク形状を有し、フレーム４１０上又は内に位置し得る。板は、板を前述のようなプラズマ配置で使用するための電極として機能させることができる他の導電性材料だけではなく、アルミニウムを含む金属などの導電性材料であってもよい。板は、様々な厚さであって、板内に画定される複数の開孔４６５を含み得る。図４に示される例示的配置は、図３の配置を参照しつつ先ほど記載されたパターンを含み、図示されたように六角形などの形状寸法パターンの開孔の一連のリングを含み得る。理解されるように、図示されたパターンは、例示的なものであって、様々なパターン、孔の配置、及び孔の間隔が設計に包含されることを理解すべきである。
【００３８】
［００４９］開孔４６５は、流体が動作中に開孔を通って流れることができるようにサイズ決定されてもよく、又は別の方法で構成されてもよい。開孔は、種々の実施形態では、約２インチ未満のサイズであり、約１．５インチ以下、約１インチ以下、約０．９インチ以下、約０．８インチ以下、約０．７５インチ以下、約０．７インチ以下、約０．６５インチ以下、約０．６インチ以下、約０．５５インチ以下、約０．５インチ以下、約０．４５インチ以下、約０．４インチ以下、約０．３５インチ以下、約０．３インチ以下、約０．２５以下、約０．２インチ以下、約０．１５インチ以下、約０．１インチ以下、約０．０５インチ以下、約０．０４インチ以下、約０．０３５インチ以下、約０．０３インチ以下、約０．０２５インチ以下、約０．０２インチ以下、約０．０１５インチ以下、約０．０１インチ以下などであり得る。
【００３９】
［００５０］幾つかの実施形態では、面板４００は、チャンバプラズマ領域からのイオン帯電の核種の移動を抑えるように構成されている構造全域に複数の開孔を画定するイオンサプレッサとして動作しつつ、帯電していない中性又はラジカル核種が、イオンサプレッサを通過して、イオンサプレッサ下流の活性化ガス供給領域内に移動できるようにし得る。実施形態において、イオンサプレッサは、種々の開孔構成を有する貫通孔を含む板であり得る。これらの荷電されていない核種には、開孔を介して反応が弱いキャリアガスと共に輸送される非常に反応性の高い核種が含まれ得る。上述したように、孔を介したイオン核種のマイグレーションが低減され、場合によっては完全に抑制されることがある。例えば、孔のアスペクト比、若しくは孔の長さに対する直径、及び／又は孔の形状寸法は、イオンサプレッサを通る活性化ガスの中のイオン帯電核種の流れが減るように制御され得る。
【００４０】
［００５１］ここで図５を参照すると、本発明の技術による処理チャンバ５００の簡略図が示される。システム５００のチャンバは、図２から図４までに関して前述の構成要素の何れかを含み、チャンバの処理領域５６０に半導体基板５５５を収納するように構成され得る。チャンバハウジング５０３は、チャンバの内部領域を少なくとも部分的に確定し得る。例えば、チャンバハウジング５０３は、リッド５０２を含み、図に示された他の板又は構成要素の何れかを少なくとも部分的に含み得る。例えば、チャンバ構成要素は、チャンバハウジング５０３の一部を少なくとも部分的に画定する各構成要素を含む一連の積み重ねられた構成要素として含まれてもよい。基板５５５は、図示したように、ペデスタル５６５上に位置し得る。処理チャンバ５００は、注入口５０１に結合された遠隔プラズマユニット（図示されず）を含み得る。他の実施形態では、システムは、遠隔プラズマユニットを含まなくてもよい。
【００４１】
［００５２］遠隔プラズマユニットを含んでも含んでいなくても、システムは、処理チャンバの混合領域５１１へのアクセスを提供し得る、注入口５０１を通して前駆体又は他の流体を受容するように構成され得る。混合領域５１１は、チャンバの処理領域５６０から分離され、かつ処理領域５３３に流体結合され得る。混合領域５１１は、一又は複数の前駆体用の注入口アセンブリを含み得る、チャンバリッド５０２又はリッドアセンブリなどのシステム５００のチャンバの最上部と、下の面板５０９などの分配デバイスとによって少なくとも部分的に画定され得る。面板５０９は、開示された実施形態の図３及び図４に図示されたシャワーヘッド又は面板に類似し得る。面板５０９は、チャンバを介した処理の前に、混合領域５１１において前駆体の分配及び／又は滞留時間に影響を与えるように位置付けられ及び／又は成形され得る複数のチャネル若しくは開孔５０７を含み得る。
【００４２】
［００５３］例えば、再結合は、面板５０９全域の開孔数、開孔サイズ、又は開孔の構成を調節することによって、影響を受け、制御され得る。図示されたように、面板５０９は、混合領域５１１とチャンバの処理領域５６０との間に位置付けられ、面板５０９は、チャンバ５００を通して一又は複数の前駆体を分散させるように構成され得る。チャンバ５００は、開示された実施形態にオプションで含まれ得る一連の構成要素のうちの一又は複数を含み得る。例えば、面板５０９が記載されているが、幾つかの実施形態では、チャンバは、そのような面板を含まなくてもよい。開示された実施形態では、混合領域５１１で少なくとも部分的に混合された前駆体は、チャンバを通り、システムの動作圧、チャンバ構成要素の配置、又は前駆体の流れプロファイルを介して、方向付けられ得る。
【００４３】
［００５４］チャンバ５００は、加えて、第１のシャワーヘッド５１５を含み得る。シャワーヘッド５１５は、図３から図４を参照して検討される板の特徴又は特性のうちの何れかを有し得る。シャワーヘッド５１５は、図示されたように半導体処理チャンバ内に位置付けられ、リッド５０２と処理領域５６０との間に含まれ又は位置付けられ得る。実施形態では、シャワーヘッド５１５は、コーティング、シーズニング、又は他の方法で処理された材料であり得る金属又は伝導構成要素であってもよく、又はそのような構成要素を含んでいてもよい。例示的材料は、アルミニウムを含む金属、並びに酸化アルミニウムを含む金属酸化物を含み得る。用いられている前駆体、又はチャンバ内で実行されている処理次第で、シャワーヘッドは、構造的安定性、並びに用いられ得る伝導性を提供し得る任意の他の金属又は材料であり得る。
【００４４】
［００５５］シャワーヘッド５１５は、シャワーヘッドを通して前駆体の均一な分配を促すために、一又は複数の開孔５１７を画定し得る。開孔５１７は、様々な構成又はパターンで含まれてもよく、所望の前駆体分配を提供し得る任意の数の形状寸法によって特徴付けられ得る。シャワーヘッド５１５は、実施形態において、電源と電気的に連結され得る。例えば、シャワーヘッド５１５は、図示されたようにＲＦ源５１９と連結され得る。操作されるとき、ＲＦ源５１９は、容量結合プラズマ（「ＣＣＰ」）をシャワーヘッド５１５と別の構成要素との間に形成可能にするシャワーヘッド５１５に電流を供給し得る。
【００４５】
［００５６］追加の面板又はデバイス５２３は、シャワーヘッド５１５の下に配置され得る。面板５２３は、面板５０９に類似の設計を含み、例えば、図３又は図４に示されたものに類似の配置を有し得る。実施形態において、面板５２３は、シャワーヘッド５１５と処理領域５６０との間の半導体処理チャンバ内に位置付けられ得る。スペーサ５１０は、シャワーヘッド５１５と板５２３との間に位置付けられ、誘電材料を含み得る。開孔５２４は、板５２３の中に画定され、板５２３を通してイオン核種の流れに影響を与えるように分散及び構成され得る。例えば、開孔５２４は、処理領域５６０に向かって方向付けられたイオン核種の流れを少なくとも部分的に抑制するように構成され得、板５２３を前述のイオンサプレッサとして動作可能にさせ得る。開孔５２４は、前述のようなチャネルを含む様々な形状を有し、開示された実施形態では、処理領域５６０から外に向かって離れるように延びる先細部分を含み得る。
【００４６】
［００５７］面板５２３は、電気的接地５３４に連結され、実施形態では、プラズマを発生し得る。例えば、シャワーヘッド５１５、面板５２３、及びスペーサ５１０は、半導体処理チャンバ内にプラズマ処理領域５３３を少なくとも部分的に画定し得る。前駆体は、注入口５０１を介して供給され、面板５０９及びシャワーヘッド５１５を介してプラズマ処理領域５３３に分散され得る。シャワーヘッド５１５は、面板５２３で接地に対して充電され、前駆に体は、プラズマ処理領域５３３内でプラズマを形成するためにエネルギーが与えられ得る。プラズマ廃水は、次いで面板５２３を通って処理領域５６０の方に流れ、基板若しくはウエハ５５５、又は基板上の材料と相互に作用する。
【００４７】
［００５８］チャンバ５００は、チャンバ内に、第２のシャワーヘッドでもあるガス供給アセンブリ５３５を更に含み得る。例えば、ガス供給アセンブリ５３５は、処理領域５６０を少なくとも部分的に画定し、前駆体をその領域に分散し得る。基板５５５上に均一の処理を提供するために、ガス供給アセンブリ５３５は、前駆体のより均一のフローを処理領域５６０内に提供するように構成され得る。ある態様において前述のデュアルチャネルシャワーヘッドに類似し得るガス供給アセンブリ５３５は、処理領域５６０とリッド５０２との間など、処理領域５６０上のチャンバ内に位置し、処理領域５６０と面板５２３との間などに位置付けられ得る。ガス供給アセンブリ５３５は、第１及び第２の前駆体の両方を、チャンバの処理領域５６０の中へ供給するように構成され得る。実施形態では、ガス供給アセンブリ５３５は、チャンバの内部領域を、遠隔領域と、基板５５５が位置付けられる処理領域とに少なくとも部分的に分割し得る。
【００４８】
［００５９］図５の例示的システムはデュアルチャネルシャワーヘッドを含むが、前駆体を注入口５０１を通って導入された核種から流動的に分離された状態に維持する代替的分配アセンブリを用いてもよいと理解される。例えば、貫通孔を含む板、及び板の下の管を用いることができるが、他の構成は、効率が低下した状態で動作してもよく、又は記載されたデュアルチャネルシャワーヘッドのように均一の処理として提供されなくてもよい。開示された設計の１つを用いることによって、前駆体は、処理領域５６０に侵入する前にプラズマによって事前に励起されない処理領域５６０に導入され得るか、又は前駆体（ｉｔ）が反応し得る追加の前駆体との接触を回避するように導入され得る。図示されていないが、環状スペーサなどの追加のスペーサは、板を互いから分離させるために、面板５２３とシャワーヘッド５３５との間に配置され得る。追加の前駆体が含まれない実施形態では、ガス供給アセンブリ５３５は、前述の構成要素の何れかに類似の設計を有し、図４に示された面板に類似の特徴を含み得る。
【００４９】
［００６０］実施形態では、ガス供給アセンブリ５３５は、例えば、抵抗ヒータ又は温度制御された流体用のチャネルを含み得る、埋め込み式ヒータ５３９を含み得る。ガス供給アセンブリ５３５は、実施形態では、上板及び下板を含み、ガス供給アセンブリ５３５内の構成又は間隔に応じて、約２つ以上の板、約３つ以上の板、約４つ以上の板、約５つ以上の板、又はそれ以上の板を含み得る。板は、板同士の間で空間５３７を画定するために、互いに結合され得る。上板と下板トを通る第１の流体チャネル５４０と、下板を通る第２の流体チャネル５４５を提供するように、板が結合され得る。形成された第２のチャネルは、下板を通して空間５３７から流体的にアクセスできるように構成され、第１の流体チャネル５４０は、複数の板と第２の流体チャネル５４５との間の空間５３７から流体的に分離させるようにしてもよい。空間５３７は、前述のチャネル２２３などのガス供給アセンブリ５３５の側面を介して流体的にアクセス可能となり得る。チャネルは、チャンバ５００の注入口５０１から分離したチャンバ内のアクセスと連結され得る。
【００５０】
［００６１］ガス供給アセンブリ５３５は、プラズマ処理動作においても同様に利用され、実施例では、例えば、電気的接地５４４と電気的に連結され得る。ガス供給アセンブリ５３５を電気的接地に連結することによって、ガス供給アセンブリ５３５は、面板５２３と類似の電位となり、よって、プラズマが２つの構成要素間で形成されるのを防止し得る。幾つかの実施形態では、面板５２３及びガス供給アセンブリ５３５は、図示されたように直接接触しており、双方が電気的接地と連結され得る。ペデスタル５６５は、電源５５４と連結され、接地されたガス供給アセンブリ５３５と組み合わせて、半導体処理チャンバの処理領域５６０内で追加のプラズマ処理領域を少なくとも部分的に画定し得る。ウエハレベルでプラズマ処理能力を提供することによって、プラズマ処理から利益を受けるエッチング及び堆積動作だけではなく、前述の材料改質などの追加の動作が実行され得る。
【００５１】
［００６２］幾つかの実施形態では、上述のプラズマは、処理領域５６０内のプラズマ処理領域内だけではなく、プラズマ処理領域５３３の中などの処理領域から離れたチャンバの領域で実行され得る。これらのプラズマ領域の各々は、実施形態では、容量結合プラズマであり得るが、誘導結合されたプラズマ領域を提供するためのコイルなど、他のプラズマ発生構成要素が含まれてもよい。プラズマが各々に接触する、面板、シャワーヘッド、チャンバ壁、スペーサ、及びペデスタルは、プラズマが間に形成され得る構成要素の劣化を最小にするために、更にコーティング又はシーズニングされてもよい。板は、更に、劣化又は影響される可能性が低い、セラミック、金属酸化物、又は他の導電性材料を含む組成物を含み得る。
【００５２】
［００６３］従来の容量結合プラズマ（「ＣＣＰ」）を作用させると、チャンバ構成要素が劣化し、基板上にうっかり分散させた粒子が除去されることがある。そのような粒子は、半導体基板にわたって短絡を起こす可能性がある金属粒子のため、これらの基板から形成されたデバイスの性能に影響を与えることがある。しかしながら、開示された技術のＣＣＰは、実施形態において、低下した又は実質的に低下した電力で作用し、プラズマ領域内のイオン化種の代わりに、遠隔プラズマユニットによって生成されるようなプラズマを維持するために用いられ得る。他の実施形態では、ＣＣＰは、領域内に供給された前駆体をイオン化するために作用し得る。例えば、ＣＣＰは、約１ｋＷ以下、５００Ｗ以下、２５０Ｗ以下、１００Ｗ以下、５０Ｗ以下、２０Ｗ以下などの電力レベルで作用し得る。更に、ＣＣＰは、空間内に均一のプラズマを分配し得る平らなプラズマプロファイルを生成し得る。よって、プラズマ放出物のより均一の流れが、チャンバの処理領域に対して下流で供給され得る。
【００５３】
［００６４］ウエハレベルでのプラズマ形成は、前述のように処理動作に有利であり得る。しかしながら、ガス供給アセンブリ５３５などの構成要素がプラズマ処理機器の一部として包含されるとき、プラズマ形成用の追加的検討が含まれることがある。プラズマ廃水がチャンバ領域に供給可能となるように、第１の流体チャネル５４０が含まれてもよい。十分なフローを提供するために、かつプラズマ廃水との相互作用を低下させるために、チャネルは、例えば、約２．５ｍｍ以上などの増大した直径によって特徴付けられ得る。しかしながら、ガス供給アセンブリ５３５が容量結合プラズマ動作に含まれるとき、これらの開孔サイズは、問題を提起することがある。
【００５４】
［００６５］例えば、プラズマは一般に、デバイ長より長い領域に形成され得る。第１の流体チャネル５４０が増大した直径によって特徴付けられるとき、プラズマ処理領域に面するアセンブリの表面は、表面全域にＲＦ連続性を提供しないことがある。その結果、プラズマが第１の流体チャネル５４０内に生成され、これらのチャネルを通って面板５２３の方へ逆に漏出し得る。ガス分配アセンブリ５３５の表面のうちの一又は複数は、プラズマからの劣化を低減するためにコーティング又は処理され得る。同様に、面板５２３の一又は複数の表面は、プラズマからの劣化を低減するためにコーティング又は処理され得る。しかしながら、各構成要素の上でコーティング又は処理された表面は、互いに向かい合っていなくてもよい。
【００５５】
［００６６］例えば、図５に示されるように、処理領域５６０に向かい合う、近接する、又は隣接するガス供給アセンブリ５３５の表面は、処理されてもいいが、面板５２３に向かい合う表面は、コーティング又は処理されなくてもよい。同様に、プラズマ処理領域５３３に向かい合う、近接する、又は隣接する面板５２３の表面は、コーティング又は処理されてもいいが、ガス供給アセンブリ５３５に向かい合う表面は、コーティング又は処理されなくてもよい。したがって、面板５２３とガス供給アセンブリ５３５との間の領域内に漏出するプラズマは、構成要素の未処理部分を劣化させる可能性がある。第１の流体チャネル５４０は、この相互作用を防止するために直径が低減され得るが、そのような低減は、プラズマ処理領域５３３で生成されたプラズマ廃水の再結合及びプラズマ廃水との相互作用を増加させ得る。別の解決策は、プラズマの逆流を低減するために、ガス供給アセンブリ５３５とペデスタル５６５との間に小さな開孔を有する追加のシャワーヘッドを包含することを含み得る。しかしながら、この解決策は、前駆体の移動の長さが増加するため、及び追加のシャワーヘッドがガス供給アセンブリで回避されている同一の再結合をもたらし得るので、ある状況においては受け入れられないことがある。例えば、ある堆積動作において、トリシリルアミン又はＮＨラジカル若しくはイオンなどのある前駆体の滞留時間は、受け入れ可能な堆積を提供するために制御され、フロー経路は、構成要素上での堆積を防止するために比較的スムーズであり得る。追加のシャワーヘッドを包含することによって、フロー経路長が増大し、かつフロー経路が妨害される可能性がある。
【００５６】
［００６７］したがって、本発明の技術は、第１の流体チャネル５４０それ自体を調節することによって、これらの状況で改善することがある。例えば、本発明の技術によるシャワーヘッド又はガス供給アセンブリは、各チャネルが、チャネルの第１の端で第１の直径によって特徴付けられ、かつチャネルの第２の端で複数のポートによって特徴付けられ得る流体チャネルを含み得る。続く図は、例えば、チャンバ５００のガス供給アセンブリ５３５として使用され得るような、本発明の技術によるチャンバ内で使用され得る例示的シャワーヘッド又はガス供給アセンブリを検討することになる。シャワーヘッドはまた、本開示を通して検討される改善した制御から利益を得る、他のプラズマチャンバを含む、任意の他のチャンバにおいて使用されてもよい。
【００５７】
［００６８］図６Ａは、本発明の技術の実施形態による例示的シャワーヘッド６００の上面図を示す。シャワーヘッド６００は、本開示全体で検討された前述のシャワーヘッド又は面板の何れかの構成要素又は特性の何れかを含み得る。図示されたように、シャワーヘッド６００は、第１の板６１０の表面にわたって複数の通り孔６２０を画定する第１の板６１０を含み得る。第１の板６１０は、アルミニウム、酸化アルミニウム、他の金属、例えば酸化イットリウムなどの他の酸化金属、又は他の処理された又はコーティングされた材料を含み得る導電性材料であり得る、又はそれらを含み得る。通り孔６２０は、例えば、前述の第１の流体チャネル５４０の第１の端を示し得る。通り孔６２０は、例えば、約５０ｍｍ以下の直径によって特徴付けられ、実施形態では、約４０ｍｍ以下、約３０ｍｍ以下、約２０ｍｍ以下、約１５ｍｍ以下、約１２ｍｍ以下、約１０ｍｍ以下、約９ｍｍ以下、約８ｍｍ以下、約７ｍｍ以下、約６ｍｍ以下、約５ｍｍ以下、約４ｍｍ以下、約３ｍｍ以下、約２ｍｍ以下、又はそれ以下の直径によって特徴付けられ得る。
【００５８】
［００６９］通り孔６２０は、前駆体に十分なフロー能力を提供するために、実施形態では、約４ｍｍ以上の直径によって特徴付けられ得る。例えば、５ｍｍ以下の直径は、チャンバの遠隔領域で生成されたプラズマ廃水を含む、チャンバを通って流れる前駆体の再結合又は他の特性に影響を与え得る。したがって、幾つかの実施形態では、通り孔６２０の直径は、前駆体又はプラズマ廃水へのより大きな影響を防止するために、約２．５ｍｍ以上、約３ｍｍ以上、約３．５ｍｍ以上、約４ｍｍ以上、約４．５ｍｍ以上、約５ｍｍ以上、約５．５ｍｍ以上、約６ｍｍ以上、約６．５ｍｍ以上、約７ｍｍ以上、又はそれ以上に維持され得る。直径はまた、提供又は包含される任意の数の組み合わせであってもよく、定義された範囲の何れかに含まれる範囲であってもよい。シャワーヘッド６００及び開孔６２０のサイズ次第で、第１の板６１０は、最大で５００、５００を上回る若しくは約５００の開孔を画定し、実施形態では、最大で１０００、１０００を上回る若しくは約１０００の開孔、約２０００の開孔、約３０００の開孔、約４０００の開孔、約５０００の開孔、約６０００の開孔、約７０００の開孔、約８０００の開孔、約９０００の開孔、約１００００の開孔、又はそれ以上を画定し得る。
【００５９】
［００７０］通り孔６２０はまた、形成されたチャネルを通って、第１の板６１０に連結され得る第２の板６５０までの図を提供し得る。幾つかの実施形態では、シャワーヘッド６００は、３以上の板を含んでいてもよく、又は画定された特徴を有する単一の板だけを含んでいてもよい。第２の板６５０は、第１の板６１０の通り孔６２０を通って見えるような、画定されたポート６６０を含み得る。図６Ｂは、本発明の技術の実施形態による例示的シャワーヘッド６００の底面図を示す。図は、シャワーヘッド６００の第２の板６５０の図を示す。記載されたように、第２の板６５０は、シャワーヘッド６００を介して生成された流体チャネルの第２の端に含まれ得る、第２の板６５０全域に画定されたポート６６０を含み得る。幾つかの実施形態では、各ポート６６０は、通り孔６２０の直径未満の直径によって特徴付けられ得る。
【００６０】
［００７１］先ほど説明されたように、ポート６６０は、プラズマがシャワーヘッド６００を通って漏出するのを防止し、また局部的プラズマ動作の副生成物がシャワーヘッド６００を通って上流に流れるのを防止し得る。したがって、ポート６６０は、実施形態では、約２ｍｍ以下の直径によって特徴付けられ、実施形態において、約１．５ｍｍ以下、約１．２ｍｍ以下、約１．０ｍｍ以下、約０．９ｍｍ以下、約０．８ｍｍ以下、約０．７ｍｍ以下、約０．６ｍｍ以下、約０．５ｍｍ以下、約０．４ｍｍ以下、約０．３ｍｍ以下、約０．２ｍｍ以下、約０．１ｍｍ以下、又はそれ以下の直径によって特徴付けられ得る。例えば、ポート６６０は、実施形態では、約０．１ｍｍから約１．２ｍｍまでの直径によって位特徴付けられ、実施形態において、約０．２ｍｍから約１ｍｍまでの直径によって特徴付けられ得る。より小さなポート６６０は、シャワーヘッド６００にわたって改善されたＲＦ連続性を提供し、例えば、接地された電極として動作していることがある。改善されたＲＦ連続性は、プラズマをシャワーヘッド６００の下に含有可能とし、又は実施形態において、シャワーヘッド６００の下に実質的に含有可能となり得る。加えて、より小さなポート６６０はまた、反応副生成物が通り孔６２０を通って逆流し、追加の構成要素と接触するのを防止し得る。
【００６１】
［００７２］図示されるように、ポート６６０は、板６５０の表面にわたる複数の群のポートの中に画定され得る。各群のポートは、実施形態では少なくとも又は約２つのポートを含み、実施形態において、少なくとも若しくは約３つのポート、少なくとも若しくは約４つのポート、少なくとも若しくは約５つのポート、少なくとも若しくは約６つのポート、少なくとも若しくは約７つのポート、少なくとも若しくは約８つのポート、少なくとも若しくは約９つのポート、少なくとも若しくは約１０のポート、少なくとも若しくは約１１のポート、少なくとも若しくは約１２のポート、少なくとも若しくは約１３のポート、少なくとも若しくは約１４のポート、少なくとも若しくは約１５のポート、少なくとも若しくは約１６のポート、少なくとも若しくは約１７のポート、少なくとも若しくは約１８のポート、少なくとも若しくは約２０のポート、少なくとも若しくは約２５のポート、少なくとも若しくは約３０のポート、少なくとも若しくは約４０のポート、少なくとも若しくは約５０のポート、又はそれ以上のポートを含み得る。ポート６６０又は複数の群のポート６６０は、流体チャネルを提供するために、実施形態において通り孔６２０と位置合わせされ得る。実施形態において、各群のポート６６０は、通り孔６２０の中心軸と軸方向に位置合わせされ得る。
【００６２】
［００７３］第２の板６５０はまた、側壁がポート６６０を介して見えない際には隠れて示されている、通り孔６２０に対して位置付けられた追加の開孔６７０を画定し得る。開孔６７０は、実施形態において、通り孔６２０及びポート６６０周囲で画定され得る。開孔６７０は、前述の第２の流体チャネル５４５に類似し、内側空間のシャワーヘッド６００からの流体アクセスを提供し得る。したがって、第１の板と第２の板との間に画定された空間を通って流れる前駆体は、開孔６７０を通ってシャワーヘッド６００を出て、ここで励起されていても励起されていなくてもよい前駆体が、次に、上流で生成されたプラズマ廃水を含み得る、ポート６６０を介して流れた一又は複数の前駆体と相互作用し得る。実施形態において、開孔６７０は、ポート６６０と同一のサイズであっても同一範囲のサイズ内にあってもよく、また板６５０にわたってＲＦ連続性を維持し得る。したがって、開孔６７０は、板６５０に画定された第１の複数の開孔であり、ポート６６０は、板６５０に画定された第２の複数の開孔であり得る。図示されたように、開孔６７０は、シャワーヘッド６００内に画定された空間からの前駆体の流れの均一性を提供するために、シャワーヘッド６００にわたって群として画定され得る。実施形態では、各群の開孔６７０は、開孔６７０及びポート６６０から流れている前駆体のより均一な接触を提供するために、複数の群のポート６６０周囲で形成され得る。実施形態では、各群は、ポート６６０に関して上述したように群内に任意の数の開孔を含み得る。
【００６３】
［００７４］シャワーヘッド６００は、チャンバ５００などのチャンバの中に含まれ、前述のようなガス供給アセンブリ５３５同様に位置付けられ得る。したがって、シャワーヘッド６００は、第１の板６１０がチャンバのリッドに又は面板５２３などの構成要素に面するように位置付けられ得る。第２の板６５０は、処理領域に面していてもよく、又は処理領域に隣接していてもよく、ペデスタル又は他の構成要素などと共に、処理領域内のプラズマ処理領域を少なくとも部分的に画定し得る。したがって、第２の板６５０は、プラズマに露出され、よって、第２の板６５０の露出面は、シャワーヘッド６００の第２の板をプラズマ劣化から保護するために、実施形態において、コーティング又は処理され得る。他の実施形態では、第２の板６５０は、プラズマ劣化に耐性があるように設計された材料であるかそのような材料を含んでいてもよく、追加のコーティングを含んでいなくてもよく、使用される材料次第では製造が容易になり得る。
【００６４】
［００７５］図７Ａは、本発明の技術の実施形態による例示的シャワーヘッド６００の断面図を示す。図示されたシャワーヘッドは、前述の特徴又は特性の何れかを含み得る。図示されたように、シャワーヘッド６００は、第１の板６１０及び第２の板６５０を含み得る。第１の板６１０は、シャワーヘッド６００を通る流体チャネルを生成するために、第２の板６５０に画定されるポート６６０と位置合わせされる、通り孔６２０を画定し得る。ポート６６０は、取り囲まれてもよく、又は前述のようなポート６６０周囲に開孔６７０を有し得る。第１の板６１０及び第２の板６５０は、第１の板６１０と第２の板６５０との間に空間６８０を画定するために、互いに連結され得る。図示されたように、空間６８０は、開孔６７０から流体的にアクセス可能であり得る。加えて、通り孔６２０及びポート６６０によって形成されたチャネルは、第１の板６１０と第２の板６５０との間に画定された空間から流体的に分離され得る。
【００６５】
［００７６］シャワーヘッド６００は、通り孔６２０及びポート６６０から形成されたチャネルを含み、第１の板６１０の通り孔６２０において各チャネルの第１の端を、第２の板６５０のポート６６０において各チャネルの第２の端を含み得る。したがって、シャワーヘッド６００が、アセンブリ５３５などのガス供給アセンブリとして含まれるなど、チャンバ５００内に包含される場合に、形成されたチャネルの第１の端は、リッド５０２又は面板５２３に面していてもよい。加えて、形成された各チャネルの第２の端は、ペデスタルに面していてもよく、例えば、処理領域６６０に近接していてもよい。
【００６６】
［００７７］第２の板６５０は、第２の板６５０の構造を通してポート６６０を画定し得るが、ポート６６０の厚さは、実施形態において、第２の板６５０の厚さと等しくなくてもよい。しかしながら、他の実施形態では、ポート６６０の長さは、第２の板６５０の厚さに等しくてもよい。ポート６６０の長さが第２の板６５０の厚さに等しくない実施形態では、形成されたチャネルの一部が第２の板６５０に含まれてもよく、ある意味でカウンターボア構造に似ていてもよいが、複数のポート６６０は構造の中に含まれ得る。第２の板６５０は、ポート６６０がそれを通して画定される厚さ６９０によって特徴付けられてもよい。この厚さは、形成されたチャネルを通して流され得るプラズマ廃水への効果を低減するために、第２の板６５０の厚さ未満であってもよい。
【００６７】
［００７８］例えば、ポートは、第２の板６５０の厚さ全体を通して形成される場合、形成されたチャネルを通して流れる前駆体又はプラズマ廃水に影響を与え、再結合を増加させ、堆積が早まって起こる、又は他の結果を引き起こす可能性がある。したがって、ポート６６０が画定される領域の第２の板６５０の厚さ６９０は、実施形態において約３ｍｍ以下であり、実施形態において、約２．５ｍｍ以下、約２ｍｍ以下、約１．８ｍｍ以下、約１．６ｍｍ以下、約１．８ｍｍ以下、約１．６ｍｍ以下、約１．５ｍｍ以下、約１．４ｍｍ以下、約１．３ｍｍ以下、約１．２ｍｍ以下、約１．１ｍｍ以下、約１．０ｍｍ以下、約０．９ｍｍ以下、約０．８ｍｍ以下、約０．７ｍ以下、約０．６ｍｍ以下、約０．５ｍｍ以下、約０．４ｍｍ以下、約０．３ｍｍ以下、約０．２ｍｍ以下、又はそれ以下であり得る。加えて、ポート６６０が形成される領域の第２の板６５０の厚さは、約０．１ｍｍから約２ｍｍまでの間であり、実施形態では、検討された範囲の何れかの内でより小さい範囲、又は検討された数の何れかから形成されたある範囲に伴い、約０．４ｍｍから約１．６ｍｍまでの間であり得る。このように、ポートは、シャワーヘッド６００を通して形成されたチャネルを通って流れる前駆体又はプラズマ廃水に低減された又は最小の影響を及ぼし得る。そのようなシャワーヘッドが、そのように厚さが低減されるように機械加工することができない可能性があり、したがって、本開示を通して記載されるポートよりも前駆体又はプラズマ廃水により多くの影響を与え得るので、これは、前述のような別のシャワーヘッドを含むこと以上の更なる利点を提供し得る。
【００６８】
［００７９］図７Ｂを参照すると、本発明の技術の実施形態による例示的シャワーヘッド７００の断面図が示されている。シャワーヘッド７００は、シャワーヘッド６００にある意味で類似しており、そのシャワーヘッド、又は検討された他のシャワーヘッド若しくは面板の何れかについて検討された特徴又は特性の何れかを含み得る。シャワーヘッド７００は、ポート７６０が板を通して形成されたチャネルの反対の端に含まれる点で、シャワーヘッド６００と異なり得る。例えば、シャワーヘッド７００は、第１の板７１０及び第２の板７５０を含み、連結されると、第１の板７１０と第２の板７５０との間に空間７８０を画定し得る。第１の板７１０は、通り孔７２０の一部を画定し、第２の板７５０は、通り孔７２０の第２の部分を画定し得る。第２の板７５０はまた、開孔７７０を画定し得る。開孔７７０及び通り孔７２０は、様々な面板及びシャワーヘッドについて先ほど検討された寸法又は特徴の何れかによって特徴付けられ得る。
【００６９】
［００８０］幾つかの実施形態では、シャワーヘッド７００は、第１の板７１０が第２の板７５０に連結される表面と反対の表面で第１の板７１０に連結される、第３の板７５５によって特徴付けられ得る。他の実施形態では、第３の板７５５は、前述の構造に類似するカウンターボアのような構造を含む、第１の板７１０の一部であり得る。第３の板７５５は、前述のポートの特徴又は特性の何れかを含み得るポート７６０を画定し得る。同様に、第３の板７５５の厚さ７９０、又はポート７６０が内部に形成され得る第１の板の領域は、シャワーヘッド７００を通してプラズマ漏出を低減又は除去するために、シャワーヘッド７００にわたって改善されたＲＦ連続性を提供しつつ、生成されたプラズマ廃水又は前駆体との相互作用を制限するために前述の厚さに類似し得る。この例示的シャワーヘッド７００において、アセンブリは、ガス供給アセンブリ５３５同様に、チャンバ５００などのチャンバに含まれ得る。シャワーヘッド７００は、シャワーヘッドを通して形成されたチャネルの第１の端が処理領域５６０に面しているチャンバ内に位置付けられるが、チャネルの第２の端は、リッド５０２又は面板５２３に面することになり得る。
【００７０】
［００８１］図８Ａは、本発明の技術の実施形態による例示的シャワーヘッド７００の上面図を示す。図示されたように、通り孔を含む代わりに、第１の板７１０の一部である第３の板７５５は、板を通る複数の開孔７６０を画定し、それらは前述のポートであり得る。複数の開孔７６０は、第１の複数の開孔のうちの少なくとも２つの開孔を含み得る、第１の複数の群の開孔の中に画定され得る。群は、前述のような任意の数の開孔を含み得る。
【００７１】
［００８２］図８Ｂは、本発明の技術の実施形態による例示的シャワーヘッド７００の底面図を示す。示された図は第２の板７５０を含み、実施形態において第１及び／又は第３の板に連結され得る。第２の板７５０は、複数の通り孔７２０を画定し、図示されたように第３の板７５５に画定されたポート７６０へのアクセスを提供し得る。各通り孔は、チャネルを生成するために第１の複数の開孔からの少なくとも１つの群の開孔と位置合わせされ得、前述の特性の何れかを含み得る。第２の板７５０はまた、複数の第２の開孔７７０を画定し、シャワーヘッドの内側空間へのアクセスを提供し得る。開孔は、前述のパターンの何れかで画定又は配置され得る。
【００７２】
［００８３］前述のチャンバ及びプラズマ源は、一又は複数の方法で使用され得る。図９は、本発明の技術の実施形態による例示的方法９００の工程を示す。方法９００は、工程９０５で一又は複数の前駆体をチャンバに流入させることを含み得る。チャンバは、前述のチャンバの何れかに類似し、検討されたシャワーヘッドの何れかのようなシャワーヘッドを含み得る。前駆体は、注入口アセンブリから、又は、例えば、シャワーヘッドの板の間の空間へのアクセスなど、追加のアクセスから、流され得る。前駆体は、工程９１０において、プラズマが内部で形成される処理領域に流入され得る。プラズマは、実施形態において、容量結合プラズマとして形成され、電極は、前述のようなシャワーヘッドだけではなく基板もその上に位置付けられるペデスタルを含み得る。形成されたプラズマは、シャワーヘッドによって少なくとも部分的に画定された処理領域内に含まれる、実質的に含まれる、又は本質的に含まれることがある。例えば、シャワーヘッドは、工程９１５において、プラズマ漏出がシャワーヘッドを介して制御又は除去されるように、前述のような特徴又は特性を有し得る。
【００７３】
［００８４］チャンバ及びシャワーヘッドはまた、チャンバの外部、又はチャンバの処理領域上流のチャンバ領域内のどちらかなど、前駆体が供給される又はプラズマ廃水が遠隔で生成される工程において使用されてもよい。例えば、プラズマ廃水は、前述のようにシャワーヘッドと面板との間で生成され得る。プラズマ廃水は、シャワーヘッドを通って画定されるチャネルを含むシャワーヘッドを通って流れ得る。チャネルは、第１の直径を有する第１の端、及び多くのポートを含む第２の端によって特徴付けられ、各ポートが第１の直径未満の直径によって特徴付けられ得る。チャネルのどちらかの端は、基板が内部に位置付けられる処理領域に近接し得る。プラズマ廃水は、チャネルを通って流れ、チャネル寸法及びポート長のため少なくとも部分的に再結合に限定的影響を与え得る。加えて、廃水は、処理領域内でエッチング及び／又は堆積を実行し、副生成物が、チャネルを通って面板まで上流を流れることが防止され得る。より大きなチャネルの端において材料の画定された厚さの範囲内のポートを含むことによって、本発明の技術のシャワーヘッドは、従来のシャワーヘッドと比較してこれらの工程の何れかにおいて改善し、シャワーヘッドのチャネルを通してプラズマ及び副生成物の漏出をもたらすことがある。
【００７４】
［００８５］上述の説明では、説明の目的のために、本発明の技術の様々な実施形態の理解を促すために、多数の詳細が記載されてきた。しかしながら、これらの詳細の幾つかを含まずに又は更なる詳細と共に、特定の実施形態を実施し得ることが、当業者には明らかであろう。
【００７５】
［００８６］幾つかの実施形態を開示したが、当然ながら当業者には、実施形態の主旨から逸脱することなく、様々な変更例、代替構造物、及び同等物を使用し得ることが理解されるだろう。加えて、本発明の技術を不必要に不明瞭にすることを避けるために、幾つかの周知のプロセス及び要素については説明しなかった。したがって、上記の説明は、本発明の技術の範囲を限定するものと解釈すべきではない。
【００７６】
［００８７］値の範囲が付与されているところでは、文脈上そうでないと明示されていない限り、その範囲の上限値と下限値との間の各介在値は、下限値の最も小さい単位まで具体的に開示されている。記載された範囲の任意の記載値又は記載されていない介在値の間の任意の小さい範囲、そしてその記載範囲のその他任意の記載された又は介在する値も含まれる。これら小さい範囲の上限値及び下限値は、その範囲に個々に含まれ、又はその範囲から除外される場合があり、小さい範囲に限界値のいずれかが含まれる、どちらも含まれない、又は両方が含まれる各範囲もこの手法に含まれ、記載された範囲において任意に具体的に除外された限界値に依存する。記載された範囲に一又は複数の限界値が含まれるところでは、これらの含有限界値のいずれか、又は両方を除外する範囲も含まれる。
【００７７】
［００８８］本明細書及び特許請求の範囲で使用される単数形の「１つの（ａ、ａｎ）」、及び「前記（ｔｈｅ）」は、文脈上明確な指示がない限り、複数の意味を含む。したがって、例えば、「開孔」を参照した時は複数の上記開孔を含み、「前駆体」を参照した時は、一又は複数の前駆体及び当業者に周知のそれらの同等物などへの参照を含む。
【００７８】
［００８９］また、「備える（ｃｏｍｐｒｉｓｅ（ｓ））」、「備えている（ｃｏｍｐｒｉｓｉｎｇ）」、「含有する（ｃｏｎｔａｉｎ（ｓ））」、「含有している（ｃｏｎｔａｉｎｉｎｇ）」、「含む（ｉｎｃｌｕｄｅ（ｓ））」、及び「含んでいる（ｉｎｃｌｕｄｉｎｇ）」という単語は、本明細書及び特許請求の範囲で使用された場合、記載された特徴、整数、構成要素、又は動作の存在を特定することを意図しているが、一又は複数のその他の特徴、整数、構成要素、動作、作動、又はグループの存在、又は追加を除外するものではない。
【図１】
2018082150.tif 000003
【図２】
2018082150.tif 000004
【図３】
2018082150.tif 000005
【図４】
2018082150.tif 000006
【図５】
2018082150.tif 000007
【図６Ａ】
2018082150.tif 000008
【図６Ｂ】
2018082150.tif 000009
【図７Ａ】
2018082150.tif 000010
【図７Ｂ】
2018082150.tif 000011
【図８Ａ】
2018082150.tif 000012
【図８Ｂ】
2018082150.tif 000013
【図９】
2018082150.tif 000014
【外国語明細書】
2018082150000001.pdf
2018082150000002.pdf
2018082150000003.pdf
2018082150000004.pdf